(57)【特許請求の範囲】
【請求項１】
断面角Ｓ字型の板体を向かい合わせに組み合わせた換気ルーバの裏側に虫の侵入を防止可能な網目の防虫網を配設すると共に、更にその裏にリベットから侵入した雨水を下側に流下させる樋構造の支持枠を配した棟本体部を設け、
該棟本体部の下に、野地板上に載置する台枠を形成すると共に該台枠の上に上記支持枠と接合する係止片を結合させた基礎部を配し、
該棟本体の上部に、棟本体の三角形の頂点部に左右の換気ルーバの頭端を覆う冠状の棟頭を被設した頭部を配設し、
上記換気ルーバを屋根部材との間には調整ルーバを配設したことを特徴とする換気棟。
【請求項２】
上記防虫網の下端を自由端とすると共に該網の下端部を屋根部材の上に接合させた請求項１記載の換気棟。
【発明の詳細な説明】
【０００１】
【発明の属する技術分野】
本発明は、換気棟に関し、更に詳細には、換気ルーバを施した棟への蜂等の虫の侵入を防ぐと共に、組立が容易で、腐食の少ない換気棟に関する。
【０００２】
【従来の技術】
従来、角Ｓ字型のルーバを組み合わせて、その間に生じる隙間で換気を図る換気棟が公知であるが、その換気棟には次のような欠点が存した。
【０００３】
（ａ）ルーバの間には換気用の隙間を設けるが、その隙間から蜂等の虫が侵入し易く、一旦蜂の侵入を許すと、蜂の巣を作り、住人に危険となる。
【０００４】
（ｂ）前述の如く、角Ｓ字型のルーバを多数組み合わせて換気棟を作成するのに、現場で折り畳み、切断等の作業を行うと、作業が複雑で、時間を要し、効率の悪い作業となる。
【０００５】
（ｃ）組み立てにビスを多用すると、多くの切り屑が残り、それが経時的に腐食すると、錆びが発生し、他の屋根材をも腐食させる原因となる。
【０００６】
【発明が解決しようとする課題】
本発明は、以上の欠点を解消しようとしてなされたもので、蜂等の虫の侵入を防ぐと共に、現場での組み立てが容易で、錆、雨仕舞等に配慮した換気棟を提供しようとするものである。
【０００７】
【課題を解決するための手段】
本願換気棟は、断面角Ｓ字型の板体を向かい合わせに組み合わせた換気ルーバの裏側に蜂等の虫の侵入を防止可能な網目の防虫網を配設すると共に、更にその裏にリベットから侵入した雨水を下側に流下させる樋構造の支持枠を配した棟本体部を設ける。該棟本体部の下に、野地板上に載置する台枠を形成すると共に該台枠の上に上記支持枠の腹部と接合する係止片を結合させた基礎部を配し、該棟本体の上部に、棟本体の三角形の頂点部に左右の換気ルーバの頭端を覆う冠状の棟頭を被設した頭部を配設する。上記換気ルーバと屋根部材との間には調整ルーバを配設して構成される。
上記防虫網の下端を自由端とすると共に該網の下端部を屋根部材の上に接合させるのが望ましい。
【０００８】
【発明の実施の形態】
本発明換気棟は、左右に換気ルーバを組み合わせた棟本体部１０ａ，１０ｂと、それを下から支持する基礎部２０と、棟本体を接合する頭部３０と、棟本体と屋根部材との接合を図る調整ルーバ４０ａ，４０ｂとから成る。
【０００９】
該棟本体部１０ａ，１０ｂは、鉄板を折り曲げた角Ｓ字型の換気ルーバ１１ａ，１１ｂを向かい合わせに組み合わせて、その隙間で換気を図ると共に、折り返し部で風雨の侵入を防ぐ構造とする。
そして、該換気ルーバ１１ａ，１１ｂの下にリベット１２ａ，１２ｂから侵入した雨水を下側に流下させる樋構造の支持枠１３ａ，１３ｂを設けると共に、該換気ルーバ１１ａ，１１ｂと支持枠１３ａ，１３ｂとの間に蜂等の虫の侵入を防止可能な網目の防虫網１４ａ，１４ｂを介設する。
即ち、換気ルーバ１１ａ，１１ｂをそのままリベット１２ａ，１２ｂ等で固定すると、雨が隙間から吹き込んだ場合、そのリベット及び周囲の隙間を伝って雨水が浸入し腐食等の原因となるので、これを樋構造とした支持枠１３ａ，１３ｂで下方に流下させ、屋根部材に伝えて処理する為である。樋構造とは、例えば、四角型パイプの形状をいう。
又、防虫網１４ａ，１４ｂは、前述したように、隙間から蜂等の虫が侵入するので、これを防止する為で、隙間部となる換気ルーバ１１ａ，１１ｂの裏側に蜂等が侵入不可能な細径網目とする。
当該棟本体部１０ａ，１０ｂは、それぞれ左右が対称形とし、上記構造のものを予め工場で生産加工し、それを現場に搬送する形態とする。
【００１０】
次いで、基礎部２０は、上記棟本体部１０ａ，１０ｂを野地板等の屋根部材の上に載せて支持安定させる為のもので、先ず野地板に接する接合片２１ａ，２１ｂと、立ち壁２２ａ，２２ｂと、水平な渡し片２３で台枠２４を形成し、その上に、棟本体１０ａ，１０ｂの支持枠１３ａ，１３ｂの腹部と接合する係止片２５ａ，２５ｂを載せ、両者のいずれか一方には位置調整た為の長孔を穿設させると共に固着の為のボルトナット２６ａ，２６ｂを配設する。
【００１１】
頭部３０は、二辺を成す棟本体１０ａ，１０ｂの三角形の頂点部にあって、棟本体の支持枠１３ａ，１３ｂのいずれか一方に結合フレーム３１を渡し、結合孔でボルトナット等で結合可能とし、その上に左右の換気ルーバ１１ａ，１１ｂの頭端を覆う冠状の棟頭３２を配設する。
該棟頭３２は、結合フレーム３１とビス等を介して結合される。
【００１２】
更に、棟本体１０ａ、１０ｂの裾部の換気ルーバ１１ａ，１１ｂは、屋根部材との間が必ずしも完全には一致しないので、屋根部材との隙間を埋める調整ルーバ４０ａ，４０ｂを配設する。該調整ルーバ４０ａ，４０ｂは、下端部となった換気ルーバ１１ａ，１１ｂに沿う接合部４１ａ，４１ｂと内側に折り曲げられる屈曲部４２ａ，４２ｂとから成り、ビス４３ａ，４３ｂで接合される。
【００１３】
又、上記台枠２４と屋根部材５０ａ，５０ｂの葺き板５１ａ，５１ｂとの間には、葺き板５１ａ，５１ｂを延長させて台枠に沿う立上葺き板５２ａ，５２ｂを配設するのが望ましい。そして、該立上葺き板５２ａ，５２ｂと換気ルーバ１１ａ，１１ｂとの間の隙間には、上記防虫網１４ａ，１４ｂを延長させて自由端１４’ａ，１４ｂ’とし、その自由端１４’ａ，１４ｂ’となった防虫網１４ａ，１４ｂの下端部を立上葺き板５１ａ，５１ｂの上に接合させて隙間を完全に埋める。
【００１４】
次に本発明換気棟の取り付け方法及び作用を説明する。
先ず、屋根棟部にあって、その屋根部材５０ａ，５０ｂの野地板部の上に台枠２４を載置し、該台枠２４の立ち壁２２ａ，２２ｂに添わせて葺き板５１ａ，５１ｂを延長させた立上葺き板５２ａ，５２ｂをボルト等で固着する。
次いで、台枠２４又は係止片２５ａ，２５ｂのいずれかの長孔を利用して支持枠１３ａ，１３ｂに連結した結合フレーム３１と台枠２４とをボルトナット２６ａ，２６ｂで固着し、即ち、工場で製作された棟部本体１０を台枠２４に固定する。
このとき、換気ルーバ１１ａ，１１ｂ及び支持枠１３ａ，１３ｂ及び防虫網１４ａ，１４ｂとは、予め、工場で製作されているので、現場で屈曲、切断等の作業を要することなく、簡潔に取り付けが行える。
【００１５】
次いで、支持枠２４の上部に設けた結合フレーム３１の結合孔のボルトナットを締結して棟頭３２を固定する。
そして、換気ルーバ１１ａ，１１ｂの下端部と屋根部材５０ａ，５０ｂの立上葺き板５２ａ，５２ｂとの間を、接合片４１ａ，４１ｂと屈曲片４２ａ，４２ｂとから成る調整ルーバ４０ａ，４０ｂをビス４３ａ，４３ｂで接合して、本発明換気棟の取り付けを完了する。
【００１６】
すると、棟本体部１０ａ，１０ｂに蜂等が侵入しようとすると、従来は換気ルーバの僅かの隙間でも加担に侵入できたが、本発明換気棟では、換気ルーバ１１ａ，１１ｂの裏側に介設された防虫網１４ａ，１４ｂが作用して侵入が不可能となる。防虫網１４ａ，１４ｂの下端部と立上葺き板５２ａ，５２ｂとの間に僅かの隙間ができた場合にも、自由端１４’ａ，１４’ｂとした防虫網が立上葺き板５２ａ，５２ｂに少々の弾力をもって付勢されるので、ここからの侵入も防止され完全となる。
【００１７】
又、風雨の激しいとき、換気ルーバ１１ａ，１１ｂの隙間から雨水が浸入すると、換気ルーバ１１ａ，１１ｂと支持枠１３ａ，１３ｂを固定するリベット１２ａ，１２ｂを介して、その僅かの隙間から雨水が浸入する懸念があるが、支持枠１３ａ，１３ｂを樋構造としてので、雨水は樋構造の支持枠１３ａ，１３ｂを伝って立上葺き板５２ａ，５２ｂ側に落下し、葺き板５１ａ，５１ｂへと流下し、棟本体に雨水が溜まる怖れがない。
【００１８】
更に、上記工場製作された後の部品を組み立てる現場では、使用するビスの数が６点程度となり、ビス打ちから生じる金属屑を極少量とし、金属屑腐食による錆びを未然に防止する。
【００１９】
【発明の効果】
以上の構成及び作用に基づく本発明換気棟は、以下の如き優れた効果を奏する。
（ａ）蜂等の虫の侵入を完全に防止することができるので、換気棟内に蜂の巣が作られ、住人に危険を及ぼすという不都合が解消される。
【００２０】
（ｂ）その換気棟の取り付け作業にあたっても、換気ルーバを主体とする棟本体等を予め工場で製作できるので、現場では組み立てるだけの省力的工程で作業が完了する。
【００２１】
（ｃ）調整ルーバ等を配して雨仕舞が完全であり、且つ、ビス等の使用が少ないので後での腐食等が少なく、耐久性に富む。
【図面の簡単な説明】
【図１】本発明換気棟の全体の側断面図。
【図２】本発明換気棟の一部分解断面図。
【図３】本発明換気棟の基礎部の断面図。
【符号の説明】
１０ａ，１０ｂ  棟本体部
１１ａ，１１ｂ  換気ルーバ
１２ａ，１２ｂ  リベット
１３ａ，１３ｂ  支持枠
１４ａ，１４ｂ  防虫網
１４’ａ，１４’ｂ  自由端
２０  基礎部
２１ａ，２１ｂ  接合片
２２ａ，２２ｂ  立ち壁
２３  渡し片
２４  台枠
２５ａ，２５ｂ  係止片
２６ａ，２６ｂ  ボルトナット
３０  頭部
３１  棟頭
３２  結合フレーム
４０ａ，４０ｂ  調整ルーバ
４１ａ，４１ｂ  接合片
４２ａ，４２ｂ  屈曲片
４３ａ，４３ｂ
５０ａ，５０ｂ  屋根部材
５１ａ，５１ｂ  葺き板
５２ａ，５２ｂ  立上葺き板
【図１】
0004085229.tif 000002
【図２】
0004085229.tif 000003
【図３】
0004085229.tif 000004